(57)【要約】【課題】道路脇の傾斜面等の所定の高低差を有する段差面の高壁面側の土留めを図る擁壁構造に関し、その構成の簡素化、施工効率の改善向上を図る。【解決手段】擁壁設置部の最下部に位置して所定の深さ埋設され、根入れ部としての機能を果たす基礎上げ部と、該基礎上げ部の上部に設置され、土留め機能を果たす、上部に比べて底部の幅が広い擁壁部とからなり、上記基礎上げ部を、上記擁壁部の縦壁部下方側に位置させて、上記擁壁部底部の幅よりも小さく形成することにより、上記擁壁部の根入れを不要にするとともに、擁壁設置部の掘削面積、掘削量を最少限で済むようにした。【選択図】        図１
2012062725.tif 000002
【特許請求の範囲】
【請求項１】
擁壁設置部の最下部に位置して所定の深さ埋設され、根入れ部としての機能を果たす基礎上げ部と、該基礎上げ部の上部に設置され、土留め機能を果たす、上部に比べて底部の幅が広い擁壁部とからなり、上記基礎上げ部を、上記擁壁部の縦壁部下方側に位置させて、上記擁壁部底部の幅よりも小さく形成したことを特徴とする土留め用擁壁構造。
【請求項２】
基礎上げ部は断面略方形のコンクリートブロック、擁壁部は断面Ｌ型のコンクリートブロックにより別体に形成されていることを特徴とする請求項１記載の土留め用擁壁構造。
【請求項３】
基礎上げ部および擁壁部は、それぞれコンクリート構造により一体に形成されていることを特徴とする請求項１記載の土留め用擁壁構造。
【発明の詳細な説明】
【技術分野】
【０００１】
本願発明は、道路脇の傾斜面等の所定の高低差を有する段差面の高壁面側の土留めを図る土留め用の擁壁構造に関するものである。
【背景技術】
【０００２】
例えば道路に対して、道路よりも高さの高い宅地等の造成地が隣接するような場合には、道路面側造成地側壁面の土留めを図る必要がある。
【０００３】
このような場合、従来の構成では、例えばＬ型ブロックや逆Ｔ型ブロックなどの成型ブロック材を用いて擁壁部を形成し、土留めを図る構造、また現場打設構造のコンクリート擁壁を形成して土留めを図る構造、などが採用されていた（例えば特許文献１参照）。
【先行技術文献】
【特許文献】
【０００４】
【特許文献１】特開２００６−２８３２９２号公報
【発明の概要】
【発明が解決しようとする課題】
【０００５】
ところが、上記従来例の内のＬ型ブロックを用いた擁壁構造の場合、例えば図９に示すように、次のような問題がある。
【０００６】
例えば図示擁壁高Ｈが１〜５ｍのＬ型ブロック３′（縦壁部３ａ′、底壁部３ｂ′）の場合で、洗掘防止の見地から少なくとも３０〜５０ｃｍの根入れ深さｈが必要であり、その分底壁部３ｂ′の幅Ｗａに応じた同幅Ｗａよりも少し広い幅Ｗａ′の溝を掘る必要がある。
【０００７】
このため、設置部の掘削範囲が広く、また掘削量が多くなり、擁壁設置作業に時間がかかる。
【０００８】
また、図９から明らかなように、根入れ部の深さｈ分だけ道路面から上に延びる縦壁部３ａ′の高さが低くなるため（Ｈ−ｈ）、最初から同根入れ部の深さｈの減少分を見込んだ高擁壁高ＨのＬ型ブロック（大型のもの）を準備しなければ、造成地の高さに対応することができない。その結果、さらにＬ型ブロック３′の底壁部３ｂ′の幅Ｗａも拡大され、上記根入れのための掘削範囲が広くなり、また掘削量も多くなる。
【０００９】
また、ブロック材が大型化した分だけ、コストもアップする。
【００１０】
これらの事情は、例えば後述の図７の例に示すような、コンクリート現場打設構造の重力式擁壁の場合にも全く同様であり、断面台形で底部の幅が広い重力式擁壁の下部側を所定の深さ根入れ部として埋設しなければならない。
【００１１】
そのため、やはり相当に広い溝幅Ｗａ′の溝を根入れ部の深さｈを考慮して掘削をしなければならず、設置工事に大きな時間が必要となる。また、必要なコンクリート量も大きくなり、コストもアップする。
【００１２】
また、設置条件によっては、例えば図１０に示すように、道路面Ａ側に断面Ｕ状の排水路（排水溝）１０を設ける必要がある場合があり、その場合、従来の擁壁構造だと、上記のように掘削範囲が拡大されるだけでなく、さらに排水路の幅Ｗｏ分だけ道路幅が狭くなる問題がある。
【００１３】
本願発明は、このような問題を解決するためになされたもので、擁壁設置部の最下部に位置して所定の深さ埋設され、根入れ部としての機能を果たす基礎上げ部と、該基礎上げ部の上部に設置され、土留め機能を果たす、上部に比べて底部の幅が広い擁壁部とからなり、上記基礎上げ部を、上記擁壁部の縦壁部下方側に位置させて、上記擁壁部底部の幅よりも小さく形成することにより、上記擁壁部の根入れを不要にするとともに、擁壁設置部の掘削面積、掘削量を最少限で済むようにした土留め用擁壁構造を提供することを目的とするものである。
【課題を解決するための手段】
【００１４】
本願各発明は、上記の目的を達成するために、それぞれ次のような課題解決手段を備えて構成されている。
【００１５】
（１）  請求項１記載の発明
この発明は、擁壁設置部の最下部に位置して所定の深さ埋設され、根入れ部としての機能を果たす基礎上げ部と、該基礎上げ部の上部に設置され、土留め機能を果たす、上部に比べて底部の幅が広い擁壁部とからなり、上記基礎上げ部を、上記擁壁部の縦壁部下方側に位置させて、上記擁壁部底部の幅よりも小さく形成したことを特徴としている。
【００１６】
このような構成によると、基礎上げ部が根入れ部として機能するので、上部に比べて底部の幅が広い擁壁部自体は、埋設する必要がなくなる。つまり、根入れが不要となる。その結果、同擁壁部の擁壁高は、そのままの高さか、または所定寸法低くて済むようになる。
【００１７】
その結果、コストが低減される。
【００１８】
一方、根入れ部として機能する上記基礎上げ部は、上記擁壁部の縦壁部の下方に位置して、しかも上記擁壁部底部の幅よりも小さな幅に形成されているから、同基礎上げ部設置のための掘削幅は遥かに小さくて済み、掘削量も少なくなるので、設置作業も著しく容易になる。
【００１９】
（２）  請求項２記載の発明
この発明は、上記請求項１の発明の構成において、基礎上げ部は断面略方形のコンクリートブロック、擁壁部は断面Ｌ型のコンクリートブロックにより別体に形成されていることを特徴としている。
【００２０】
このような構成によると、断面略方形のコンクリートブロック構造の基礎上げ部が根入れ部として機能するので、上部に比べて底部の幅が広い断面Ｌ型のコンクリートブロック構造の擁壁部自体は、埋設する必要がなくなる。つまり、根入れが不要となる。その結果、同擁壁ブロック部の擁壁高は、そのままの高さのものか、または所定寸法低い小型のもので足りるようになる。
【００２１】
一方、根入れ部として機能する上記基礎上げ部は、上記擁壁部の縦壁部下方に位置して、しかも上記擁壁部底部の幅よりも小さな幅に形成されているから、同基礎上げ部設置のための掘削幅は遥かに小さくて済み、掘削量も少なくなるので、その設置作業も容易になる。
【００２２】
（３）  請求項３記載の発明
この発明は、上記請求項１の発明の構成において、基礎上げ部および擁壁部は、それぞれコンクリート構造により一体に形成されていることを特徴としている。
【００２３】
このような構成によると、コンクリート構造の基礎上げ部が根入れ部として機能するので、上部に比べて底部の幅が広いコンクリート構造の擁壁部自体は、埋設する必要がなくなる。つまり、根入れが不要となる。その結果、同擁壁部の擁壁高は、そのままの高さか、または所定寸法低くて済むようになる。
【００２４】
その結果、コストが低減される。
【００２５】
一方、根入れ部として機能する上記基礎上げ部は、上記擁壁部の縦壁部の下方に位置して、しかも上記擁壁部底部の幅よりも小さな幅に形成されているから、同基礎上げ部設置のための掘削幅は遥かに小さくて済み、掘削量も少なくなるので、設置作業も著しく容易になる。
【発明の効果】
【００２６】
以上のように、本願発明によると、上述した従来の問題を確実に解消し、設置工事が容易で、低コストの擁壁構造を提供することが可能となる。
【図面の簡単な説明】
【００２７】
【図１】本願発明の実施の形態１に係る土留め用擁壁構造（別体型）の構成を示す横断面図である。
【図２】同図１の構造の要部の寸法関係および作用を示す説明図である。
【図３】本願発明の実施の形態１の変形例１に係る土留め用擁壁構造の構成を示す横断面図である。
【図４】本願発明の実施の形態１の変形例２に係る土留め用擁壁構造の構成を示す横断面図である。
【図５】本願発明の実施の形態１の変形例３に係る土留め用擁壁構造の構成を示す横断面図である。
【図６】本願発明の実施の形態２に係る土留め用擁壁構造（一体型）の構成を示す横断面図である。
【図７】本願発明の実施の形態２の変形例１に係る土留め用擁壁構造の構成を示す横断面図である。
【図８】本願発明の実施の形態２の変形例２に係る土留め用擁壁構造の構成を示す横断面図である。
【図９】従来の土留め用擁壁構造の基本例（排水路なし）の構成を示す横断面図である。
【図１０】同従来の土留め用擁壁構造の変形例（排水路あり）の構成を示す横断面図である。
【発明を実施するための形態】
【００２８】
以下、本願発明の実施形態について、添付の図面を参照しながら詳細に説明する。
【００２９】
（実施の形態１）
先ず図１〜図２は、本願発明の実施の形態１に係る土留め用擁壁構造の構成を示している。
【００３０】
この実施の形態の土留め用擁壁構造は、一例として、道路部Ａと造成地部Ｂとの間の段差面部等擁壁設置部Ｃの最下部に位置して所定の深さ埋設され、根入れ部としての機能を果たす基礎上げ部１と、該基礎上げ部１の上部に設置され、土留め機能を果たす擁壁部３とからなり、上記基礎上げ部１の幅Ｗｂは上記擁壁部３の底壁部３ｂの幅Ｗａよりも遥かに小さく形成されている。そして、上記基礎上げ部１は、例えばコンクリート製の断面略長方形状の基礎上げブロックにより、また上記擁壁部３は、例えばコンクリート製の断面Ｌ型の擁壁ブロックにより形成されている。
【００３１】
基礎上げ部１は、一例として横方向（水平方向）の幅Ｗｂに比べて縦方向（上下方向）の高さＨａが少し大きい断面略長方形状（もちろん正方形状でもかまわない）の角柱体構造（所定長）に成型され、その略中心軸部分には、例えば断面略正円形状の排水路２が形成されている。
【００３２】
このコンクリートブロック構造の基礎上げ部１は、上述した擁壁設置部Ｃにおいて、その横方向の幅Ｗｂに応じた幅よりも少し広い幅Ｗｂ′で、かつ所定の深さの溝４（図２参照）を掘り、同溝４の底部に基礎砕石５を埋込み、その上にモルタル（またはコンクリート）６を敷いた上で設置し、例えば道路部Ａの道路面より少し高くなる状態（もちろん、他の変形例として同一の高さとしてもよい）に埋設される。
【００３３】
また、断面Ｌ型のコンクリートブロック構造よりなる擁壁部３は、造成地部Ｂの高さに応じた高さＨの上下方向に延びる縦壁部（縦板部）３ａと該縦壁部３ａの下端部から直角に曲成され、上記造成地部Ｂの下方部に向けて水平方向に延びる底壁部（底板部）３ｂとからなり、底壁部３ｂの幅Ｗａは、上記縦壁部３ａの高さＨに応じて安定した擁壁機能を果たすことができる寸法（０．６Ｈ〜０．７Ｈ）のものとなっている。
【００３４】
この擁壁部３は、例えば図１に示すように、上記基礎上げ部１のフラットで水平方向に拡がる天面１ａ上に底壁部３ｂを載置し、縦壁部３ａの反造成地側外側面（道路側面）と基礎上げ部１の反造成地側外側面（道路側面）とが面一な状態となるように組み合わせて上下方向に積層する。
【００３５】
この時、上記基礎上げ部１の天面１ａより低い造成地側の所定深さ部分には、上記基礎上げ部１の設置時と同様に所定の深さの溝を掘り、基礎砕石５と敷モルタル（またはコンクリート）６よりなる支持面を形成した上で（もちろん、この場合、先ずコンクリートを打設し、その上面に敷モルタルすることもできる）、上記擁壁部３を設置し、その底壁部３ｂの基礎上げ部１の天面１ａより造成地側に延出された部分を支持する。
【００３６】
そして、その上で、上記擁壁部３の内側に土を盛り、十分に締め固めることにより、安定した土留め機能を発揮させる。
【００３７】
この場合、必要に応じて、上記基礎上げ部１の道路部Ａ側の側壁部上部には、上下方向に長いスリット構造の通水孔７ａ，７ａ・・・が長手方向に多数個並設され、道路部Ａ側道路面の傾斜状態如何にかかわらず、道路部Ａ側の雨水等が確実に導入されるようになっており、導入された雨水は排水路２を通して下流側に排出される。
【００３８】
以上のような擁壁構造によると、上記コンクリートブロック構造の基礎上げ部１が根入れ部として機能するので、断面Ｌ型で底壁部３ｂの幅が広いコンクリートブロック構造の擁壁部３の底壁部３ｂは、埋設する必要がなくなる。つまり、根入れが不要となる。その結果、同擁壁部３の擁壁高Ｈは、そのままの高さのものか、または同そのままの高さのものよりも所定寸法低い小型のものを利用することができることになる。その結果、コストが低減される。
【００３９】
一方、根入れ部として機能する上記基礎上げ部１は、上記コンクリートブロック構造の擁壁部３の縦壁部３ａの下方に位置して、しかも上記擁壁部３の底壁部３ｂの幅Ｗａよりも遥かに小さな幅Ｗｂ（Ｗｂ≪Ｗａ）に形成されているから、必然的に同基礎上げ部１設置のための掘削幅は、上述した従来の構成に比べて遥かに小さくて済み、もちろん掘削量も大きく減少する。したがって、設置作業も著しく容易になる。
【００４０】
また、それに加えて、上記基礎上げ部１は、内部に排水路２を備えていて、通水孔７ａ，７ａ・・・を介して道路部Ａ側の雨水を導入排出することができるようになっているので、従来のようなＵ状の排水路（図１０中の符号１０を参照）が不要となる。その結果、道路部Ａの幅が有効に拡大される。
【００４１】
なお、その場合、必要に応じ、上記造成地Ｂ側の土中に含まれている水を排水路２に導入する通水孔７ｂ，７ｂ・・・も形成され、造成地Ｂ中の水が排水路２内に導入されて排出される。
【００４２】
また、このように排水路２を形成するようにすると、基礎上げ部１自体のコンクリート材料を節減することができ、その点でも、さらにコストを低減することができる。
【００４３】
（変形例１）
次に図３、図４は、上記実施の形態１の変形例１の構成を示す。
【００４４】
この変形例１の土留め用擁壁構造では、例えば図３のように、上記実施の形態１の構成における基礎上げ部１の天面部１ａの道路部Ａ側端部に、その長さ方向の一端から他端までの全体にかけて擁壁部３の滑動を阻止する凸状の係止部（凸条部）９を設けたことを特徴とするものである。
【００４５】
このようにした場合、地震時など何らかの事情で、上記擁壁部３に対して通常時を超える大きな土圧が作用したような場合にも、擁壁部３の滑動を確実に阻止することができるようになり、土留め性能が大きく向上する。
【００４６】
また、このようにすると、当該基礎上げ部１の天面１ａの一部が道路部Ａ側に開放されることになるので、例えば図４に示すように、道路部Ａ面を天面１ａ付近まで高く設置せざるを得ないような場合にも、同係止部９の天面を利用して、上記実施の形態１の場合と同様の通水孔７ａ，７ａ・・・を設けることができる。
【００４７】
（変形例２）
次に図５は、上記実施の形態１の変形例２の構成を示す。
【００４８】
この変形例２の土留め用擁壁構造では、上記実施の形態１の基礎上げ部１の構成における排水路２の断面形状を、当該基礎上げ部１本体の外形に等しい略長方形状のものとし、かつ通水孔７ａ，７ａ・・・の形状、寸法を入口側（道路側）から出口側（排水路側）まで同じにしたことを特徴とするものである。
【００４９】
このような構成にすると、排水路２、通水孔７ａ，７ａ・・・共に十分に大きな通路面積のものとすることができ、また通水孔７ａ，７ａ・・・を道路部Ａ側から排水路２まで、略水平に形成することができる。
【００５０】
（その他の変形例）
なお、以上の実施の形態および各変形例における排水路２の断面形状は、上述した略正円形状や長方形状のものに限らず、ドーム型形状、インバート型形状、小判型形状その他の各種の形状のものの採用が可能である。
【００５１】
（実施の形態２）
次に図６は、本願発明の実施の形態２に係る土留め用擁壁構造の構成を示している。
【００５２】
この実施の形態のものは、上記実施の形態１の構成における基礎上げ部１および断面Ｌ型の擁壁部３を、例えばコンクリートでの現場打ち成型に適した構造のものとして、最終的に一体に構成するようにしたことを特徴とするものであり、その他の構成は基本的に上記実施の形態１のものと同様であり、同様の作用を奏する。
【００５３】
すなわち、図６の構成では、基礎上げ部１が断面Ｌ型の擁壁部３の縦壁部３ａの下方に位置する形で、断面Ｌ型の擁壁部３の縦壁部３ａおよび造成地部Ｂの下方にあって水平方向に伸びる幅の広い底壁部３ｂとコンクリート構造で相互に一体に成型されている。
【００５４】
そして、例えば基礎上げ部１の天面部１ａの一部が道路部Ａの道路面に沿う形で、道路部Ａ側に開放されており、それに対応して同天面１ａ側から排水路２方向に通水孔７ａ，７ａ・・・が形成されている以外は、殆んど上述した実施の形態１の擁壁構造と変らない。
【００５５】
したがって、本願発明は、このような現場打ち構造の擁壁部３の場合にも有効であり、上記実施の形態１のものと全く同様のメリットを得ることができる。
【００５６】
（変形例１）
次に図７は、上記本願発明の実施の形態２に係る土留め用擁壁構造の変形例１の構成を示している。
【００５７】
この変形例１のものは、上記実施の形態２の構成における基礎上げ部１および断面Ｌ型の擁壁部３の内、断面Ｌ型の擁壁部３の部分を、例えば図７に示すように、土留め面側が大きな傾斜面となった断面台形状の重力式のものとしたことを特徴とするものである。
【００５８】
このような重力式擁壁部３の場合にも、擁壁部３の底部の幅は、断面Ｌ型の場合と同様に上部に比べて遥かに広いから、根入れ部を形成しようとすると、上述した各実施の形態および変形例の場合と全く同様の問題があるが、本願発明の構成を適用して、図示のように構成すると、同問題を確実に解決することができる。
【００５９】
（変形例２）
さらに図８は、上記本願発明の実施の形態２に係る土留め用擁壁構造における擁壁部３を土留め方向に傾斜させた凭たれ式擁壁部とした構成を示している。
【００６０】
本願発明は、このような凭たれ式擁壁部３を有する擁壁構造を採用した場合にも、図８のように、上述の各場合と全く同様の基礎上げ部１を、上記擁壁部３の縦壁部３ａの下方側に位置させて、上記擁壁部３底部の幅よりも小さく形成した構成を採用することができ、同様の有益な作用効果を実現することができる。
【符号の説明】
【００６１】
１は基礎上げ部、２は排水路、３は擁壁部、３ａは縦壁部、３ｂは底壁部である。
【図１】
2012062725.tif 000003
【図２】
2012062725.tif 000004
【図３】
2012062725.tif 000005
【図４】
2012062725.tif 000006
【図５】
2012062725.tif 000007
【図６】
2012062725.tif 000008
【図７】
2012062725.tif 000009
【図８】
2012062725.tif 000010
【図９】
2012062725.tif 000011
【図１０】
2012062725.tif 000012